(57)【要約】【課題】室外機筐体から露出する位置に配置した通信ユニットの問題と、制御基板に搭載した設定表示回路の問題を一挙に解決できるようにする。【解決手段】電装品モジュール２００のサービスパネル１１２の側に制御基板２４０が取り付けられ、該制御基板２４０に情報端末３００と近距離で無線通信を行う表面実装型の通信ユニット２４１が実装され、該通信ユニット２４９に少なくとも１つの室内機と室外機を通信可能とするためのペアリングを行うシステムが含まれるようにする。【選択図】図３
2020134021.tif 000002
【特許請求の範囲】
【請求項１】
熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、
前記電装品モジュールの前記サービスパネルと対面する側に制御基板が配置され、該制御基板に、電子部品と、情報端末と近距離で無線通信を行う通信ユニットとが搭載されていることを特徴とする室外機。
【請求項２】
請求項１に記載の室外機において、
前記通信ユニットは、前記制御基板の前記サービスパネルと対面する側と反対側に搭載される表面実装型であることを特徴とする室外機。
【発明の詳細な説明】
【技術分野】
【０００１】
本発明は近距離無線通信システムであるＮＦＣ（Near Field Communication）システムを搭載した空気調和機の室外機に関する。
【背景技術】
【０００２】
室外機にＮＦＣシステムの通信ユニットを搭載し、その通信ユニットにスマートホン等の情報端末を接近させて、非接触でその情報端末との間で無線通信を行う空気調和機が提案されている（特許文献１，２）。このＮＦＣシステムを使用すれば、情報端末によって室外機の運転に必要な各種データを設定したり、室外機の状態を診断したりすることができる。
【０００３】
一方、１台の室外機に複数台の室内機を接続するシステムとして、マルチエアコンシステムやＶＲＦ（Variable Refrigerant Flow）システムがある。マルチエアコンシステムでは個々の室内機に膨張弁が装備され、ＶＲＦシステムでは個々の室内機に共通の膨張弁が室外機に装備されている。これらのマルチエアコンシステムやＶＲＦシステムでは、室外機と個々の室内機を通信可能にするための設定が行われる。
【０００４】
マルチエアコンシステムやＶＲＦシステムについて、図５を用いて具体的に説明する。これらのシステムは、建造物４００の１階の室屋４１０に室内機５１０を設置し、２階の室屋４２０に室内機５２０を設置し、３階の室屋４３０に室内機５３０を設置して、これら室内機５１０〜５３０を配管６００及び通信線７００によって建造物４００の屋上４４０に設置した室外機１００Ａに接続して構成される。
【０００５】
そして、室外機１００Ａには、室内機５１０〜５３０についてのアドレスや能力の設定をしたり、室内機５１０〜５３０及び室外機１００Ａ自体の運転情報やエラー情報等をモニタ表示したりするための設定表示回路２４３が、室外機１００Ａの電装品モジュールの図６に示すような制御基板２４０Ａに搭載されている。この制御基板２４０Ａは導電性の固定板２１０Ａに取り付けられている。
【０００６】
この制御基板２４０Ａに搭載される設定表示回路２４３は、個々の室内機５１０〜５３０にアドレスを設定するロータリスイッチ、能力設定を行うディップスイッチ等のスイッチ２４３ａと、個々の室内機５１０〜５３０や室外機１００Ａ自体の運転情報やエラー情報のモニタ表示を行うＬＥＤ表示器２４３ｂを備えている。
【先行技術文献】
【特許文献】
【０００７】
【特許文献１】ＷＯ２０１６／０８０３５２公報
【特許文献２】ＷＯ２０１６／２０８２２３公報
【発明の概要】
【発明が解決しようとする課題】
【０００８】
ところが、特許文献１，２に記載のＮＦＣシステムを採用すると、通信ユニットが室外機の筐体から露出する位置に配置されることになるので、その通信ユニットが室外機の筐体の内部に取り付けられた電装品モジュールから遠くなる。このため、通信ユニットと電装品モジュールを接続するケーブルの配線距離が長くなり、外来ノイズの影響を受け易くなったりコスト増加を招く問題がある。また、通信ユニットが外部に露出しているので、その通信ユニットに特別な防水機構を設ける必要が生じたり、人が容易に触れることができるためセキュリティが悪化する問題もある。
【０００９】
さらに、前記した設定表示回路２４３にはスイッチ２４３ａやＬＥＤ表示器２４３ｂが組み込まれているが、そのスイッチ２４３ａは指で直接操作できるようにする必要から、また、ＬＥＤ表示器２４３ｂは所定の表示面積をもたせる必要から、それらの形状をある程度大きくする必要がある。このため、その設定表示回路２４３が大きくなり、制御基板２４０Ａで大きな面積を占有する。
【００１０】
本発明の目的は、室外機筐体から露出する位置に配置した通信ユニットの上記問題と、制御基板に搭載した設定表示回路の上記問題を一挙に解決できるようにした室外機を提供することである。
【課題を解決するための手段】
【００１１】
本発明の一形態は、熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、前記電装品モジュールの前記サービスパネルと対面する側に制御基板が配置され、該制御基板に、電子部品と、情報端末と近距離で無線通信を行う通信ユニットとが搭載されていることを特徴とする。
【発明の効果】
【００１２】
本発明によれば、通信ユニットが電装品モジュールの制御基板に搭載されるので、その通信ユニットが外来ノイズの影響を受けることはなくコスト増加を招くこともなく防水の必要もない。また、この通信ユニットにはスイッチやＬＥＤ表示器は不要であるので、その通信ユニットの制御基板上の占有面積を小さくすることができる。
【図面の簡単な説明】
【００１３】
【図１】室外機の斜視図である。
【図２】サービスパネルを取り外した室外機の斜視図である。
【図３】実施例の電装品モジュールの斜視図である。
【図４】（ａ），（ｂ）は実施例の制御基板の部分断面図である。
【図５】ＶＲＦシステムあるいはマルチエアコンシステムの説明図である。
【図６】従来の制御基板の斜視図である。
【発明を実施するための形態】
【００１４】
本発明が適用される室外機１００を図１と図２に示す。１１０はこの室外機１００の筐体であり、前面パネル１１１、その前面パネル１１１の右横のメンテナンス用の着脱自在のサービスパネル１１２、右側面パネル１１３、左側面パネル１１４、天面パネル１１５、背面パネル１１６、底面パネル１１７を備える。底面パネル１１７の下面には脚１１８が取り付けられている。
【００１５】
この室外機１００はマルチエアコンシステムあるいはＶＲＦシステムに適用されている。このため、室外機１００は図５で説明した室外機１００Ａと同様に、建造物４００の屋上４４０に設置される。そして、室外機１００は、図５で説明した１階の室屋４１０に設置した室内機５１０、２階の室屋４２０に設置した室内機５２０、３階の室屋４３０に設置した室内機５３０と、配管６００及び通信線７００によって接続される。
【００１６】
室外機１００の筐体１１０は仕切板１１９によって、正面パネル１１１の奥側が熱交換器室１１０Ａとなり、サービスパネル１１２の奥側が機械室１１０Ｂとなるように、正面視で左右方向に区画されている。そして、熱交換器室１１０Ａには、図示しない室外熱交換器や送風ファンが配置されている。また、機械室１１０Ｂには、冷媒配管１１、圧縮機１２、アキュムレータ１３、図示しない四方弁等が配置されている。機械室１１０Ｂの内部は、サービスパネル１１２を取り外すことにより、室外機１００の正面から視認可能となっている。
【００１７】
２００は機械室１１０Ｂに取り付けられる電装品モジュールであり、正面がサービスパネル１１２と対面するよう機械室１１０Ｂに配置される導電性の固定板２１０と、固定板２１０の上部に取り付けられる長尺形状の導電性の上フレーム２２０と、固定板２１０の下部に取り付けられる長尺形状の導電性の下フレーム２３０と、固定板２１０のサービスパネル１１２と対面する側に取り付けられる制御基板２４０とを備える。つまり、制御基板２４０は電装品モジュール２００のサービスパネル１１２と対面する側に配置されている。上フレーム２２０と下フレーム２３０は電装品モジュール２００を機械室１１０Ｂに取り付けるためのものであるが、その取付構造については、本発明に直接関係しないので説明は省略する。
【００１８】
制御基板２４０には、図３に示すように、この制御基板２４０のサービスパネル１１２と対面する側である正面２４０ａに、接近させた情報端末３００との間で近距離で無線通信を行うＮＦＣシステムが組み込まれた表面実装型の通信ユニット２４１と、複数の電子部品２４２が搭載されている。
【００１９】
以上から、本実施例では、室外機１００のサービスパネル１１２を取り外せば、図２に示すように電装品モジュール２００が正面に露出するので、その電装品モジュール２００の制御基板２４０に搭載された通信ユニット２４１に情報端末３００を接近させて、その情報端末３００と通信ユニット２４１の間で無線によるデータ通信を行わせることが可能となる。
【００２０】
よって、情報端末３００と通信ユニット２４１に、室外機１００と接続される３台の室内機５１０〜５３０のアドレスや能力等の設定機能、室外機１００自体や３台の室内機５１０〜５３０の運転情報或いはエラー情報を情報端末３００にモニタ表示させる機能等を具備させておけば、情報端末３００を通信ユニット２４１に接近させて情報端末３００を操作することで、アドレスや能力等の設定、運転情報やエラ情報のモニタ表示等を行わせることができる。
【００２１】
このとき、通信ユニット２４１は制御基板２４０に直接搭載されているので、その通信ユニット２４１と制御基板２４０を接続するケーブルは不要となり、外来ノイズの影響を受け難くコスト増加を招くこともない。また、通信ユニット２４１は筐体１１０の機械室１１０Ｂ内に取り付けられる電装品モジュール２００の制御基板２４０に搭載され、機械室１１０Ｂはサービスパネル１１２で閉じられるので、通信ユニット２４１のための特別な防水機構は必要はない。また、同様の理由から、通信ユニット２４３に人が簡単に触れることができなくなり、セキュリティが向上する。
【００２２】
さらに、通信ユニット２４１にはスイッチやＬＥＤ表示器を搭載する必要がないので、その通信ユニット２４１の制御基板２４０における占有面積が小さくなる。
【００２３】
さらに、通信ユニット２４１は表面実装型であり制御基板２４０の正面２４０ａに搭載されるので、図４の（ａ）に示すように、制御基板２４０の通信ユニット２４１に対応するサービスパネル１１２の側と反対側である裏面２４０ｂのスペース２４０ｂ１に、新たな電子部品を搭載することができ、制御基板２４０の有効利用ができる。また、通信ユニット２４１にスイッチに加えるような力が作用することはないので、制御基板２４０が外力によって変形するおそれはなく、その通信ユニット２４１の近傍に配置された電子部品２４２ａが変形したりその機能が損なわれるおそれもない。
【００２４】
なお、図４の（ｂ）に示すように通信ユニット２４１は、制御基板２４０の裏面２４０ｂの側、つまり制御基板２４０のサービスパネル１１２と対面する側と反対側に搭載することも可能であり、この場合は通信ユニット２４１に対応する制御基板２４０の正面２４０ａのスペース２４０ａ１に、新たな電子部品を搭載することができ、制御基板２４０の有効利用ができ、あるいは制御基板２４０を小型化できる。
【００２５】
以上の実施例ではメンテンナンス用のサービスパネル１１２として着脱自在なサービスパネルを使用した例で説明したが、機械室１１０Ｂを露出できるよう開閉自在となったサービスパネルを使用することもできる。この場合には、その開閉自在のサービスパネルを開いてから、通信ユニット２４１を露出させ、情報端末３００をその通信ユニット２４１に接近させて前記したペアリングを行ったり、室外機１００自体や室内機の運転情報やエラー情報を情報端末３００にモニタ表示させてそれらを診断したりすることができる。
【符号の説明】
【００２６】
１００，１００Ａ：室外機、１１０：筐体、１１２：サービスパネル
２００：電装品モジュール、２１０：固定板、２２０：上フレーム、２３０：下フレーム、２４０，２４０Ａ：制御基板、２４０ａ：正面、２４０ｂ：裏面、２４１：通信ユニット、２４２，２４２ａ：電子部品
３００：通信端末
４００：建造物
５１０〜５３０：室内機
【図１】
2020134021.tif 000003
【図２】
2020134021.tif 000004
【図３】
2020134021.tif 000005
【図４】
2020134021.tif 000006
【図５】
2020134021.tif 000007
【図６】
2020134021.tif 000008